(57)【要約】      （修正有）【課題】大規模なダクト工事や給気ファンの設置及びそれに伴う空調工事の増強が必要なく、比較的高濃度の有機溶剤含有エアーがあっても、作業スペースの環境悪化を防ぐことが出来る有機溶剤除去装置を提供する。【解決手段】有機溶剤が付着状態にある被加工物２に対して作業をする作業台３と、この作業台３の後面３ａおよび両側面３ｂ、３ｃを囲う衝立４と、この衝立に設けた吸引口５と、この吸引口に繋がりこれより吸引した有機溶剤含有エアーから有機溶剤を除去するフィルター６を内蔵し且つ排気口７を有してなる機体８と、排気の下流に位置して機体８に取り付けた吸引ファンとからなり、衝立４の上面に庇１０を設けて、有機溶剤含有エアーの一部を庇１０にて拡散を緩めると共に、吸引ファンを作動させた際、有機溶剤含有エアーを庇１０にて吸引口５に導き易くする。【選択図】図１
0003185678.tif 000002
【実用新案登録請求の範囲】
【請求項１】
有機溶剤が付着状態にある被加工物に対して作業をする作業台と、該作業台の後面および両側面を囲う衝立と、該衝立に設けた吸引口と、該吸引口に繋がりこれより吸引した有機溶剤含有エアーから有機溶剤を除去するフィルターを内蔵し且つ排気口を有してなる機体と、該フィルターの下流に位置して前記機体に取り付けた吸引ファンとからなり、前記衝立の上面に庇を設けて、有機溶剤含有エアーの一部を前記庇にて拡散を緩めると共に、前記吸引ファンを作動させた際、拡散を緩めた有機溶剤含有エアーを前記庇にて前記吸引口に導き易くしたことを特徴とする有機溶剤除去装置。
【請求項２】
前記作業台の作業面の一部に多数の小孔を設けると共に該多数の小孔下に受け皿を設けて、被加工物から離脱する有機溶剤を前記受け皿にて受け得るようにした請求項１記載の有機溶剤除去装置。
【請求項３】
前記吸引ファンは、前記機体に着脱自在に設けてある請求項１または２記載の有機溶剤除去装置。
【請求項４】
前記作業台の両側面に位置する前記衝立のいずれか一方に、前記吸引口とは別系統の接続口を貫通状態で設け、該接続口は吸込ファンおよび／またはダクトが接続自在である請求項１、２または３記載の有機溶剤除去装置。
【請求項５】
前記作業台および該作業台を囲う前記衝立、前記庇に、これらを覆うフタを設けた請求項１、２、３または４記載の有機溶剤除去装置。
【請求項６】
前記作業台および前記衝立、前記庇に前記フタを被せた際、これらに前記フタを被せてない状態と前記フタを被せた状態との間に、開口比率で少なくとも１．０％ないし５．０％の開口部を有し、前記接続口は前記吸込ファンおよび／または前記ダクトを経由して屋外換気の換気扇に接続し、前記作業台および前記衝立内外に漂う有機溶剤含有エアーを屋外に排除するようにした請求項５記載の有機溶剤除去装置。
【考案の詳細な説明】
【技術分野】
【０００１】  本考案は、作業者に有害となる有機溶剤含有エアーを速やかに排除して、作業者の健康を守る有機溶剤除去装置に関し、詳しくは、作業台と、これの後面および両側面を囲う衝立と、衝立に設けた吸引口と、これより吸引した有機溶剤含有エアーから有機溶剤を除去するフィルターを内蔵したなる機体と、吸引ファンとからなり、衝立の上面に設けた庇により、有機溶剤含有エアーの拡散を緩め且つそれを吸引口に導き易くする有機溶剤除去装置に関する。
【背景技術】
【０００２】  労働安全基準法の有機溶剤中毒予防規則により規制されている有機溶剤を一定量以上取り扱う業務を行う場合、人が現に作業したり、監視している作業スペースで有機溶剤含有エアーが存在している場合、人がその有機溶剤含有エアーを吸い込んだりすることなく、外部に換気あるいは酸化分解などにより排除して、人の安全を図らなければならない。通常行われているのは、局所排気装置やプッシュプル換気装置を利用して、有機溶剤含有エアーを作業スペースで拡散させることなく、屋外に排気することである。【０００３】  しかしながら、これら局所排気装置やプッシュプル換気装置では、有機溶剤含有エアーを屋外に排気する必要があるため、排気ダクトや、必要な処理風量を送るための給気ファンおよびそれに伴う空調工事の増強が必要となり、意外と大規模な工事内容となってしまう。【０００４】  このような観点から、有機溶剤含有エアーを単に屋外に排気するのではなく、有機溶剤含有エアーをフィルターに通し、その過程で有機溶剤を除去し、規制値以下にして循環させれば、上記のような大規模な工事内容となることを阻止できることになる。このような有機溶剤除去装置としては、機体に吸込口と排気口とを備え、吸込口を臨む機体内に吸込ファンを配置し、この吸込ファンと機体の排気口との間に、有機溶剤除去フィルターを設置してなるものが知られている。この有機溶剤除去フィルターは、例えば、セラミック質の多孔性基材の表面に、金属アルコキシドを含有する光反応性半導体を塗工し、乾燥凝固した膜を２５０°Ｃないし６００°Ｃで焼成して、微細孔性の光反応性半導体による膜である。そして、機体内の吸込ファンを稼働し、吸込口から有機溶剤含有エアーを機体内に導入して、有機溶剤除去フィルターの微細孔性の光反応性半導体による膜に、有機溶剤を付着させ、それに紫外線ランプにより紫外線を当てて、有機溶剤を酸化分解して除去するものである（例えば、特許文献１参照）。【０００５】  また、有機溶剤除去装置として、機体に吸込口と排気口とを備え、吸込口を臨む機体内に吸込ファンを配置し、この吸込ファンと機体の排気口との間に有機溶剤除去フィルターを設置している点は、上記と同様であるが、有機溶剤除去フィルターが、疎水性ゼオライトを担持した段ボール状体をポリイミドなどの絶縁シートにて挟み、さらに、両側の絶縁シートを電極にて挟んでなるものである。これら両側の電極に交流電圧を印加して、段ボール状体内でプラズマを発生させ、これにより、段ボール状体に担持した疎水性ゼオライトに付着した有機溶剤を、脱着・酸化分解して除去するものである（例えば、特許文献２参照）。
【先行技術文献】
【特許文献】
【０００６】
【特許文献１】特開２００１−２５９４３５号公報
【特許文献２】特開２００２−１２６４４５号公報
【考案の概要】
【考案が解決しようとする課題】
【０００７】  上記特許文献１および２の有機溶剤除去装置は、いずれも有機溶剤除去フィルターに付着した有機溶剤を、酸化分解して除去する点で優れているが、想定外の高濃度の有機溶剤含有エアーを吸込口から機体内に導入してしまった場合、想定している量の有機溶剤を酸化分解して除去できるが、それ以上のまさに想定外の有機溶剤を除去できず、結果的に、かなり高濃度の有機溶剤含有エアーが、排気口から出てしまうことになって、上記した作業スペースの環境を悪化させることにつながる。【０００８】  そこで、本考案は、上記事情に鑑みてなされたもので、大規模な排気ダクト工事や給気ファンの設置およびそれに伴う大規模な空調工事の増強が必要なく、想定外の高濃度の有機溶剤含有エアーがあっても、作業スペースの環境悪化を防ぐことができる有機溶剤除去装置を提供することを課題とする。
【課題を解決するための手段】
【０００９】  本考案は、上記課題を達成するために提案されたものであって、下記の構成からなることを特徴とするものである。
すなわち、請求項１記載の考案は、機溶剤が付着状態にある被加工物に対して作業をする作業台と、該作業台の後面および両側面を囲う衝立と、該衝立に設けた吸引口と、該吸引口に繋がりこれより吸引した有機溶剤含有エアーから有機溶剤を除去するフィルターを内蔵し且つ排気口を有してなる機体と、該フィルターの下流に位置して前記機体に取り付けた吸引ファンとからなり、前記衝立の上面に庇を設けて、有機溶剤含有エアーの一部を前記庇にて拡散を緩めると共に、前記吸引ファンを作動させた際、拡散を緩めた有機溶剤含有エアーを前記庇にて前記吸引口に導き易くしたことを特徴とする有機溶剤除去装置である。【００１０】  また、請求項２記載の考案は、前記作業台の作業面の一部に多数の小孔を設けると共に該多数の小孔下に受け皿を設けて、被加工物から離脱する有機溶剤を前記受け皿にて受け得るようにした有機溶剤除去装置である。【００１１】  また、請求項３記載の考案は、前記吸引ファンが、前記機体に着脱自在に設けてある有機溶剤除去装置である。【００１２】  また、請求項４記載の考案は、前記作業台の両側面に位置する前記衝立のいずれか一方に、前記吸引口とは別系統の接続口を貫通状態で設け、該接続口は吸込ファンおよび／またはダクトが接続自在である有機溶剤除去装置である。【００１３】  また、請求項５記載の考案は、前記作業台および該作業台を囲う前記衝立、前記庇に、これらを覆うフタを設けた有機溶剤除去装置である。【００１４】  また、請求項６記載の考案は、前記作業台および前記衝立、前記庇に前記フタを被せた際、これらに前記フタを被せてない状態と前記フタを被せた状態との間に、開口比率で少なくとも１．０％ないし５．０％の開口部を有し、前記接続口は前記吸込ファンおよび／または前記ダクトを経由して屋外換気の換気扇に接続し、前記作業台および前記衝立内外に漂う有機溶剤含有エアーを屋外に排除するようにした有機溶剤除去装置である。【００１５】  上記第１の課題解決手段による作用は次の通りである。すなわち、作業台にて蒸発した有機溶剤は、周辺のエアーと混ざり有機溶剤含有エアーとなり、有機溶剤含有エアーの一部を庇にて拡散を緩めると共に、吸引ファンの作動により有機溶剤含有エアーを庇により吸引口に導き易くし、吸引口から機体内に入った有機溶剤含有エアーは、フィルターにて有機溶剤を除去される。【００１６】  上記第２の課題解決手段による作用は、作業台の作業面上の被加工物から離脱して流れる有機溶剤を、多数の小孔を通して受け皿にて受ける。【００１７】  上記第３の課題解決手段による作用は、既存の排気設備が整い吸引ファンを必要としない場合、機体の排気口から吸引ファンを外して、既存の排気設備に機体の排気口を直接つなげ、既存の排気設備が不充分である場合に吸引ファンを取り付ける。【００１８】  上記第４の課題解決手段による作用は、作業台周辺に漂う有機溶剤含有エアーが高濃度であっても、吸引口とは別系統の接続口に接続した吸込ファンおよび／またはダクトにて、屋外に排出する。【００１９】  上記第５の課題解決手段による作用は、フタにて作業台および衝立、庇で囲う空間の有機溶剤含有エアーの漏れを防ぐ。【００２０】  上記第６の課題解決手段��よる作用は、作業台および衝立内外に漂う有機溶剤含有エアーが、作業台および衝立との間にある開口から入ったエアーと共に、吸込ファンおよび／またはダクトを経由して屋外換気の換気扇により、吸引口とは別系の接続口から屋外に排除される。
【考案の効果】
【００２１】  以上詳述したように、本考案によれば、以下のような効果がある。
請求項１記載の発明は、大規模な排気ダクト工事や給気ファンの設置およびそれに伴う大規模な空調工事の増強をしなくても、有機溶剤含有エアーによる作業スペースの環境悪化を防ぐことができる効果がある。【００２２】  また、請求項２記載の考案は、上記の効果に加えて、作業台の作業面上の被加工物から離脱して流れる有機溶剤を、受け皿で受けて外部に漏れ出ないように出きる効果がある。【００２３】  また、請求項３記載の考案は、上記の効果に加えて、既存の排気設備の如何により影響されることなく、自在に対応できる効果がある。【００２４】  また、請求項４記載の考案は、上記の効果に加えて、作業台周辺に漂う有機溶剤含有エアーが高濃度であっても、別系の接続口に接続した吸込ファンおよび／またはダクトにて、屋外に排出できる効果がある。【００２５】  また、請求項５記載の考案は、上記の効果に加えて、フタにより作業台および衝立で囲う空間の有機溶剤含有エアーの漏れを防ぐことができる効果がある。【００２６】  また、請求項６記載の考案は、上記の効果に加えて、作業台および衝立内外に漂う有機溶剤含有エアーが、その濃度に関係なく屋外換気の換気扇により、作業台および衝立との間にある開口から入ったエアーと共に、吸引口とは別系の接続口から屋外に排除できる効果がある。
【図面の簡単な説明】
【００２７】
【図１】本考案の実施の形態を示す有機溶剤除去装置の斜視図（実施例１）である。
【図２】本考案の実施の形態を示す有機溶剤除去装置の正面図（実施例１）である。
【図３】本考案の実施の形態を示す有機溶剤除去装置の側面図（実施例１）である。
【図４】本考案の実施の形態を示すフタを被せた状態の有機溶剤除去装置の斜視図（実施例１）である。
【考案を実施するための形態】
【００２８】
【実施例１】
【００２９】  図において、１は有機溶剤除去装置であり、該有機溶剤除去装置１は、有機溶剤が付着状態にある被加工物２に対して作業をする作業台３と、この作業台３の後面３ａおよび両側面３ｂ、３ｃを囲う衝立４と、この衝立４に設けた吸引口５と、この吸引口５に繋がりこれより吸引した有機溶剤含有エアーから有機溶剤を除去するフィルター６を内蔵し且つ排気口７を有してなる機体８との下流に位置して機体８に取り付けた吸引ファン９（図２参照）とからなり、衝立４の上面に庇１０を設けて、有機溶剤含有エアーの一部を庇１０にて拡散を緩めると共に、吸引ファン９を作動させた際、拡散を緩めた有機溶剤含有エアーを庇１０にて吸引口５に導き易くしたものである。【００３０】  前記被加工物２は、有機溶剤が付着状態にあれば特に限定はないが、いずれにしても、被加工物２は、有機溶剤が付着状態で何らかの作業を必要とする場合となる。なお、有機溶剤は、例えば、キシレン、アセトン、メタノールなどが例示される、【００３１】  前記作業台３は、その作業面２０の周辺に多数の小孔２１を設けると共にそれらの小孔２１下に受け皿２２を有してなり、作業対象となる被加工物２から離脱する有機溶剤を、多数の小孔２１を通り受け皿２２にて受け得るようになっている。【００３２】  前記衝立４は、作業台３の後面３ａに位置する後面衝立４Ａおよび作業台３の両側面３ｂ、３ｃに位置する左側面衝立４Ｂ、右側面衝立４Ｃにて、作業台３を囲うものであり、いずれも箱形状で中は空洞である。そして、後面衝立４Ａおよび左側面衝立４Ｂ、右側面衝立４Ｃの上面には、前記庇１０が水平に設けられて、さらに効率よく作業台３を囲うことになる。【００３３】  後面衝立４Ａの作業台３側に向いた側面には、小孔が集合して構成する吸引口５が設けられ、後面衝立４Ａの外側面には、機体８が連通状態で繋がり、吸引口５から後面衝立４Ａ内に入った有機溶剤含有エアーは、機体８内に入ることが出来る。【００３４】  前記機体８は、上述のとおり、後面衝立４Ａの外側面に連通状態で繋がり、その上面に排気口７を有し、この排気口７に吸引ファン９を着脱自在に設けて、さらに、機体８は有機溶剤を除去するフィルター６を内蔵している。なお、図１、３、４中、１１はフィルター６をメンテナンスするための開閉扉である。【００３５】  なお、上述のフィルター６は、有機溶剤含有エアーから有機溶剤を除去することができるものであれば、特に限定がない。このフィルター６は、有機溶剤を吸着することで除去するものでも良く、例えば、活性炭、ゼオライト、その他の吸着剤を含有、あるいは担持したものなどが、例示される。また、このフィルター６は、有機溶剤を吸着した後、その有機溶剤を分解、酸化などをすることで、除去するものでも良く、例えば、特許文献１の微細孔性の光反応性半導体による膜、特許文献２の疎水性ゼオライトを担持した段ボール状体を絶縁シートにて挟み、さらに、両側の絶縁シートを電極にて挟んでなるものなどが例示される。【００３６】  前記衝立４の左側面衝立４Ｂには、前記吸引口５とは別系統の接続口２３が貫通した状態で設けられ、この接続口２３の一方の端部は、衝立４およびその上面に設けた前記庇１０により囲われた作業��３に臨み、接続口２３の他方の端部は、吸込ファン２４およびダクトが接続自在になっている。この接続口２３があることにより、作業台３周辺に漂う有機溶剤含有エアーが高濃度であっても、吸引口５とは別系統の接続口２３に接続した吸込ファン２４およびダクトに、さらに接続した既存の屋外換気の換気扇で屋外に排出して、本発明の有機溶剤除去装置１を設置した室内環境が、高濃度の有機溶剤含有エアーにより悪化することを防ぐことができる。【００３７】  また、図４に示すように、作業台３およびこれを囲う衝立４、庇１０を覆うフタ３０を設けてもよい。このフタ３０は、作業台３および衝立４、庇１０で囲う空間から有機溶剤含有エアーの漏れを防ぐことが出来て、特に、高濃度の有機溶剤含有エアーが空間に充満した場合に有用である。【００３８】  そして、作業台３および衝立４、庇１０で囲う空間に、上述のフタ３０を被せた際、これらの間に開口比率で少なくとも１．０％ないし５．０％の開口部３１を有するようにする。このようにすると、前記別系統の接続口２３が前記吸込ファン２４および前記ダクトを経由して、屋外換気の換気扇（不図示）に接続してあれば、開口部３１から吸い込むエアーと共に、空間内外に漂う有機溶剤含有エアーを、容易に屋外に排除することが出来る。【００３９】  次に、上記構成になる有機溶剤除去装置１の作動状況を詳述する。
まず、作業現場となる室内に有機溶剤除去装置１を設置し、既存の排気設備を直接利用することが可能である場合は、機体８の排気口７と既存の排気設備とをダクトなどで接続する。既存の排気設備を利用できない場合は、機体８の排気口７に吸引ファン９を取り付ける。さらに、衝立４の接続口２３に、既存の屋外換気の換気扇を直接利用することが可能である場合は、衝立４の接続口２３にダクトを接続して、既存の屋外換気の換気扇につなげる。既存の屋外換気の換気扇を直接利用することが出来ない場合は、接続口２３に吸込ファン２４を取り付け、さらに、ダクトにて既存の屋外換気の換気扇につなげる。【００４０】  この状態で、まず、吸引ファン９の電源をオンして作動させると、作業中の被加工物２から蒸発した有機溶剤は、エアーと混ざり有機溶剤含有エアーとなっているが、この有機溶剤含有エアーは、吸引ファン９により吸引口５から後面衝立４Ａを経由して機体８内に入り、さらに、フィルター６に接触することで有機溶剤が除去され清浄化されて、排気口７および吸引ファン９を通って機体８外に排出される。なお、吸引ファン９を設置していない場合は、既存の排気設備により室外ないし少なくとも機体８外には排出される。【００４１】  作業中の被加工物２に有機溶剤が多く付着している場合は、作業台３の作業面２１に有機溶剤が流れ落ちるが、周辺の多数の小孔２１ａを通り受け皿２２に溜まる。受け皿２２に溜まった有機溶剤が多い場合は、有機溶剤含有エアーが高濃度となるから、そのまま吸引口５から後面衝立４Ａを経由して機体８内に入り、フィルター６により有機溶剤を除去して清浄化してしまうと、フィルター６の有機溶剤除去能力を上回り、清浄化した筈の有機溶剤含有エアーにおける有機溶剤濃度が、労働安全基準法の有機溶剤中毒予防規則により規制されている濃度を上回る虞がある。【００４２】  このため、吸引ファン９の電源をオフし、有機溶剤の除去が不十分となる虞のある吸引口５からの吸引を止め、これとは別系統になる吸込ファン２４の電源をオンして作動させ、高濃度の有機溶剤含有エアーを既存の屋外換気の換気扇を利用して、そのまま屋外に排出する。なお、このような場合、作業台３および衝立４、庇１０で囲う空間に前記フタ３０を被せ、有機溶剤含有エアーの漏れを防ぐことは有用であり、さらに、開口部３１があると、空間内外に漂う有機溶剤含有エアーを屋外に容易に排除出来てさらに都合がよい。【００４３】  また、被加工物２の作業体止時に、別系統になる吸込ファン２４の電源をオフして接続口２３を閉じ、吸引ファン９の電源をオンしてエアーを吸引口５から後面衝立４Ａを経由して機体８内に通し、さらに、フィルター６にエアーを接触させフィルター６に吸着している有機溶剤を再揮散させ、フィルター６を再生するようにしてもよい。なお、この場合機体８外に排出される有機溶剤含有エアーは、既存の屋外換気の換気扇により屋外に排出する必要がある。【００４４】  以上、本考案の実施例１を説明したが、具体的な構成はこれに限定されず、本考案の要旨を逸脱しない範囲での変更・追加、各請求項における他の組み合わせにかかるものも、適宜可能であることが理解されるべきである。
【産業上の利用可能性】
【００４５】  本考案の有機溶剤除去装置は、大規模な排気ダクト工事や給気ファンの設置およびそれに伴う大規模な空調工事の増強が必要なく、想定外の高濃度の有機溶剤含有エアーがあっても、作業スペースの環境悪化を防ぎたいような場合に、利用可能性が極めて高くなる。
【符号の説明】
【００４６】１                    有機溶剤除去装置
２                    被加工物
３                    作業台
３ａ                  後面
３ｂ、３ｃ            側面
４                    衝立
４Ａ                  後面衝立
４Ｂ                  左側面衝立
４Ｃ                  右側面衝立
５                    吸引口
６                    フィルター
７                    排気口
８                    機体
９                    吸引ファン
１０                  庇
１１                  開閉扉
２０                  作業面
２１                  小孔
２２                  受け皿
２３                  接続口
２４                  吸込ファン
３０                  フタ
３１                  開口部
【図１】
0003185678.tif 000003
【図２】
0003185678.tif 000004
【図３】
0003185678.tif 000005
【図４】
0003185678.tif 000006